(57)【要約】  【課題】従来のソーシャルネットワークサービスではＳＮＳ内での日記とブログは別のものであり、ブログをＳＮＳ内の日記として使用することは可能ではあるが、多くの人はブログとＳＮＳで複数の日記を持つため、それぞれを更新しなければならないという手間が利用者の新規参入や継続の妨げとなっている。また、特定の相手としか交流しないため閉鎖性がより強くなっている。【解決手段】本ＳＮＳは、利用者をブログ利用者に限定し、ブログに装備するブログパーツを通して利用者のネットワークを拡大させることで、ＳＮＳとブログサービスの併用性を高め、それぞれを活用させる。また、複数のブログを持つユーザーを対象に「シンクロ投稿」という機能を設け、複数のブログを同時に一括更新することを可能にすることで、複数のブログをもつ場合におこりがちな更新頻度の偏りをなくす。【選択図】図１
2008310538.tif 000002
【特許請求の範囲】
【請求項１】
ブログを所持する者のみを対象とし、登録者には専用のブログパーツを配布し、各利用者はそのパーツを用いて、ソーシャルネットワークサービス（以下SNS）内でコミュニティを作ることを特徴とするSNSシステム。
【請求項２】
前記SNS内において利用者の登録時の情報をサーバに保存し、他の利用者が条件を指定してメッセージを送った場合、登録時の情報を元に、該当する利用者すべてにメッセージを送ることができる「ボトルメッセージ」「紙飛行機メッセージ」「遊覧船メッセージ」という機能を有することを特徴とする請求項１記載のＳＮＳシステム。
【請求項３】
前記ＳＮＳ内において利用者は自分の分身にあたるキャラクターを選択し、他の利用者のキャラクターと戦闘が行えることを特徴とする請求項１記載のＳＮＳシステム。
【請求項４】
前記キャラクター同士の戦闘において、カードを用いて勝敗を決することを特徴とする請求項１記載のＳＮＳシステム。
【請求項５】
前記キャラクター同士の戦闘において用いられるカードは、ＳＮＳ内で購入・交換が可能であることを特徴とする請求項１記載のＳＮＳシステム。
【請求項６】
前記ＳＮＳにおいて、利用者の個人ページにペットを装備し、それを育成することを特徴とする請求項１記載のＳＮＳシステム。
【請求項７】
前記ＳＮＳにおいて複数のブログを持つ利用者は、一度に複数のブログに対して、その内容を同時に更新できる「シンクロ投稿」という機能を有することを特徴とする請求項１記載のＳＮＳシステム。なお、対応しているブログサービスはHARMONYブログ・アメーバ（株式会社サイバーエージェント登録商標）ブログ・Exciteブログ・gooブログ・SeesaaBlog・Vector（株式会社ベクター登録商標）maglog・DTIBLOG・ココログ（ニフティ株式会社登録商標）・FC2（有限会社ホームページシステム登録商標）ブログである。
【請求項８】
前記ＳＮＳにおいてすべての利用者に向けてメッセージを表示できる「ラウドスピーカー」という機能を有することを特徴とする請求項１記載のＳＮＳシステム。
【請求項９】
前記ＳＮＳにおいてすべての利用者が一定条件のもとに閲覧できる「ニュース記事」を投稿できることを特徴とする請求項１記載のＳＮＳシステム。
【請求項１０】
前記ＳＮＳにおいて利用者が設定したキーワードによって、他のユーザーが作成した記事を検索できることを特徴とする請求項１記載のＳＮＳシステム。
【請求項１１】
前記ＳＮＳにおいて、利用者が特定のテーマについてのページを無制限に作成することが可能であり、公開対象を全体・友達のみ・非公開と選択でき、他の利用者が参加したいテーマについてのページをお気に入りに登録することでコメントを残すことができる「テーマ板」という機能を有することを特徴とする請求項１記載のＳＮＳシステム。
【請求項１２】
前記ＳＮＳにおいて利用者が他の利用者のページを閲覧した場合、訪問者として履歴が残り、また登録時の情報から利用者同士の相性が表示されることを特徴とする請求項１記載のＳＮＳシステム。
【請求項１３】
前記ＳＮＳにおいて利用者が売りたいものを画像と金額をつけて表示できる「ショップ」という機能を有することを特徴とする請求項１記載のＳＮＳシステム。
【請求項１４】
前記ＳＮＳにおいて利用者は1つだけサークルを作ることが可能であり、公開対象を全体・サークルメンバーのみ・非公開と選択でき、メンバーが増えることによってサークルランキングの上位に表示されることを特徴とする請求項１記載のＳＮＳシステム。
【請求項１５】
前記サークルについて、サークルを作成した利用者はサークルの管理権限を有し、他のサークルに合併を申請することが可能であり、申請された側のサークルの管理人が承認すれば、申請した側のサークルに吸収され、合併を申請した管理人が引き続き管理人の権限を有する機能があることを特徴とする請求項１記載のＳＮＳシステム。
【請求項１６】
前記ＳＮＳにおいてネットワークに参加していない友人に対して招待メールを送ることができることを特徴とする請求項１記載のＳＮＳシステム。
【発明の詳細な説明】
【技術分野】
【０００１】
本発明は、インターネットにおけるソーシャルネットワークサービスに関する。
【背景技術】
【０００２】
国内SNSの参加者数は、2005年3月末時点で延べ約111万人（総務省調べ）であり、ブログの利用者は、2005年3月末時点で延べ約335万人（総務省調べ）であるが、従来のソーシャルネットワークサービスではＳＮＳ内での日記とブログは別のものであり、ブログをＳＮＳ内の日記として使用することは可能ではあるが、多くの人はブログとＳＮＳで複数の日記を持つ形となっている。
【発明の開示】
【発明が解決しようとする課題】
【０００３】
従来のソーシャルネットワークサービスではＳＮＳ内での日記とブログは別のものであり、ブログをＳＮＳ内の日記として使用することは可能ではあるが、多くの人はブログとＳＮＳで複数の日記を持つため、それぞれを更新しなければならないという手間が利用者の新規参入や継続の妨げとなっている。また、特定の相手としか交流しないため閉鎖性がより強くなっている。
本システムは利用者を、2005年3月末時点で延べ約335万人（総務省調べ）のブログユーザーに限定し、ブログパーツを通して利用者のネットワークを拡大することで、ＳＮＳとブログサービスとの併用性を向上させ、さらにＳＮＳ内で紹介者などの特定の相手以外とも簡単にコミュニケーションが取れる機能を常備させることでネットワーク内を活性化させる。
【課題を解決するための手段】
【０００４】
上記課題を解決するために本システム「フレンドパーツ」は、利用者をブログ利用者に限定し、ブログに装備するブログパーツを通して利用者のネットワークを拡大させることで、ＳＮＳとブログサービスの併用性を高め、それぞれを活用させる。また、複数のブログを持つユーザーを対象に「シンクロ投稿」という機能を設け、複数のブログを同時に一括更新することを可能にすることで、複数のブログをもつ場合におこりがちな更新頻度の偏りをなくす。なおＳＮＳ内でのユーザーの関係性とは、従来の馴れ合いを強調したものではなく、カードによる対戦を取り入れることによって、より現実味のある関係を築くことができる。
【発明の効果】
【０００５】
本システムによってブログとＳＮＳを別々にとらえ、片方のサービスのみを利用してきた個々のネットユーザーを取り込み、ブログとＳＮＳの利点をそれぞれ活用し、新たなネットワークを構築することができる。
【発明を実施するための最良の形態】
【０００６】
ブラウザはInternet Explorer 6.0あるいは7.0（ともにマイクロソフト社登録商標）が望ましい。
【０００７】
以下、本発明の実施の形態として実施例を図１〜図３に基づいて説明する。
【実施例１】
【０００８】
図１において、１で利用者がフレンドパーツに登録し、２でブログパーツのタグが配布される。利用者がそのタグを自分のブログに貼り付けると、３でブログパーツからフレンドパーツにログインし、各コンテンツの閲覧・操作が可能になる。また、携帯電話やパソコンからもフレンドパーツにログインして各コンテンツの閲覧・操作も可能だが、利用者同士の友達登録ができるのはブログパーツからのみである。
【実施例２】
【０００９】
図２において、利用者Ａ・Ｂともにフレンドパーツに参加している状態で、１でＢがＡのブログを閲覧し、Ａのブログにあるブログパーツに友達登録を申請する。２で情報はフレンドパーツへ送られ、３でＡのページに友達登録の申請があることが表示される。４で承認すれば、ＡとＢはフレンドパーツ内で友達として登録され、お互いのニュース記事のコメントなどが閲覧できるようになる。なお、この申請は拒否することも可能である。
【実施例３】
【００１０】
図３において、ブログを複数持っている利用者が、１で各ブログサービスで携帯電話からの更新を有効にし、２でその携帯電話のメールアドレスと、各ブログサービスの携帯電話からの更新を受信するためのメールアドレスをフレンドパーツに登録することで、フレンドパーツ内の「シンクロ投稿」ページで更新した内容を３でフレンドパーツのサーバから一括で送信することで、４で複数のブログが一括更新される。なお、対応しているブログサービスはHARMONYブログ・アメーバ（株式会社サイバーエージェント登録商標）ブログ・Exciteブログ・gooブログ・SeesaaBlog・Vector（株式会社ベクター登録商標）maglog・DTIBLOG・ココログ（ニフティ株式会社登録商標）・FC2（有限会社ホームページシステム登録商標）ブログである。
【図面の簡単な説明】
【００１１】
【図１】実施例１の図である。
【図２】実施例２の図である。
【図３】実施例３の図である。
【図１】
2008310538.tif 000003
【図２】
2008310538.tif 000004
【図３】
2008310538.tif 000005